(57)【要約】  複数の電気化学セルを有するバッテリを製造する際に電気化学セルを選別する方法は、（Ｓ１）個々の検査されるべき電気化学セルのパラメータデータ（ＤＰａｒ．）を検出するステップと、（Ｓ２）検出された前記パラメータデータ（ＤＰａｒ．）を制御ユニットに伝達するステップと、（Ｓ３）前記電気化学セルを検出された前記パラメータデータ（ＤＰａｒ．）に割り当てるステップと、（Ｓ４）前記制御ユニットを用いて、前記パラメータデータに割り当てられた電気化学セルにとって、所定のパラメータ値（ＷＰａｒ．、ＷＰａｒ．１、ＷＰａｒ．２、ＷＰａｒ．３、ＷＰａｒ．４、ＷＰａｒ．５）に関して、前記パラメータデータ（ＤＰａｒ．）の所定の関係が存在するかどうかを決定するステップと、を有している。
2014519680.tif 000002
【特許請求の範囲】
【請求項１】
複数の電気化学セルを有するバッテリを製造する際に電気化学セルを選別する方法において、
前記方法が、
（Ｓ１）個々の検査されるべき電気化学セルのパラメータデータ（ＤＰａｒ．）を、前記電気化学セルの品質を判定するために検出するステップと、
（Ｓ２）前記パラメータデータ（ＤＰａｒ．）を制御ユニットに伝達するステップと、
（Ｓ３）前記電気化学セルを前記パラメータデータ（ＤＰａｒ．）に割り当てて、好ましくは前記電気化学セルに関する前記パラメータデータ（ＤＰａｒ．）を記憶するステップと、
（Ｓ４）前記制御ユニットを用いて、前記パラメータデータに割り当てられた電気化学セルにとって、所定のパラメータ値（ＷＰａｒ．、ＷＰａｒ．１、ＷＰａｒ．２、ＷＰａｒ．３、ＷＰａｒ．４、ＷＰａｒ．５）に関して、前記パラメータデータ（ＤＰａｒ．）の所定の関係が存在するかどうかを決定するステップと、
を有することを特徴とする方法。
【請求項２】
前記制御ユニットを用いて決定するステップ（Ｓ４）が、
（Ｓ４ａ）伝達された前記パラメータデータ（ＤＰａｒ．）が所定の第１のパラメータ値（ＷＳｗｔ．１）を有するかを決定する決定ステップ、又は、
（Ｓ４ｂ）伝達された前記パラメータデータ（ＤＰａｒ．）が所定の第２のパラメータ値（ＷＳｗｔ．２）を有さないかを決定する決定ステップ、
の内少なくとも１つを有していることを特徴とする請求項１に記載の方法。
【請求項３】
前記制御ユニットを用いて決定するステップ（Ｓ４）が、
（Ｓ４ｃ）伝達された前記パラメータデータ（ＤＰａｒ．）が所定の第３のパラメータ値（ＷＳｗｔ．３）を超過するかを決定する決定ステップ、又は、
（Ｓ４ｄ）伝達された前記パラメータデータ（ＤＰａｒ．）が所定の第４のパラメータ値（ＷＳｗｔ．４）を下回るかを決定する決定ステップ、
の内少なくとも１つを有していることを特徴とする請求項１又は２に記載の方法。
【請求項４】
前記方法は、
（Ｓ５ａ）前記決定のステップ（Ｓ４）において、所定の関係が存在すると決定される場合に、前記パラメータデータ（ＤＰａｒ．）に割り当てられた前記電気化学セルを、第１の種類のバッテリを製造するための第１の製造ラインに供給する供給ステップ、又は、
（Ｓ５ｂ）前記決定のステップ（Ｓ４）において、所定の関係が存在しないと決定される場合に、前記パラメータデータ（ＤＰａｒ．）に割り当てられた前記電気化学セルを、第２の種類のバッテリを製造するための第２の製造ラインに供給する供給ステップ、
の内少なくとも１つを有していることを特徴とする請求項１から３のいずれか一項に記載の方法。
【請求項５】
前記制御ユニットを用いて決定する前記ステップ（Ｓ４）は、
（Ｓ４ｅ）伝達された前記パラメータデータ（ＤＰａｒ．）が、所定の第５のパラメータ値（ＷＳｗｔ．５）の周囲の所定のパラメータ値範囲内に含まれているかを決定するステップを有していることを特徴とする請求項４に記載の方法。
【請求項６】
ハイブリッドセルバッテリを製造するための第１の製造ラインへの供給に関して、第１のパラメータ値範囲は１．２％、好ましくは０．６％であることを特徴とする請求項５に記載の方法。
【請求項７】
プラグインハイブリッドバッテリを製造するための第２の製造ラインへの供給に関して、第２のパラメータ値範囲は３％、好ましくは１．５％であり、好ましくは、前記第２の製造ラインに供給されるべき前記電気化学セルの前記パラメータデータは、前記第１の、特に前記好ましい第１のパラメータ範囲の外に位置していることを特徴とする請求項５又は６に記載の方法。
【請求項８】
電気車両用バッテリ又は電気機器用バッテリを製造するための第３の製造ラインへの供給に関して、第３のパラメータ値範囲は４．５％、好ましくは２．２％であり、好ましくは、前記第３の製造ラインに供給されるべき前記電気化学セルの前記パラメータデータは、前記第１の、特に前記好ましい第１のパラメータ範囲の外に位置しているか、及び／又は、好ましくは前記第３の製造ラインに供給されるべき前記電気化学セルの前記パラメータデータは、前記第２の、特に前記好ましい第２のパラメータ範囲の外に位置していることを特徴とする請求項５から７のいずれか一項に記載の方法。
【請求項９】
定置使用バッテリを製造するための第４の製造ラインへの供給に関して、第４のパラメータ値範囲は５０％、好ましくは２５％であり、好ましくは、前記第４の製造ラインに供給されるべき前記電気化学セルの前記パラメータデータは、前記第１の、特に前記第１の好ましいパラメータ範囲の外に位置しており、及び／又は、好ましくは前記第４の製造ラインに供給されるべき前記電気化学セルの前記パラメータデータは、前記第２の、特に前記好ましい第２のパラメータ範囲の外に位置しており、及び／又は、好ましくは前記第４の製造ラインに供給されるべき前記電気化学セルの前記パラメータデータは、前記第３の、特に前記好ましい第３のパラメータ範囲の外に位置していることを特徴とする請求項６から８のいずれか一項に記載の方法。
【請求項１０】
前記電気化学セルの複数の前記パラメータデータ（ＤＰａｒ．）の内少なくとも１つは、以下のパラメータ、
前記電気化学セルの開路電圧、
前記電気化学セルの容量、
前記電気化学セルの内部抵抗、
圧力を加えた後、好ましくは前記電気化学セル側面に圧力を加えた後の前記電気化学セルの内部抵抗の変化、又は、
前記電気化学セルの内圧、
の内少なくとも１つを含むパラメータ群から選択されていることを特徴とする請求項１から９のいずれか一項に記載の方法。
【請求項１１】
前記方法は、
（Ｓ４．１）前記パラメータデータ（ＤＰａｒ．）を用いて、少なくとも１つの品質値を生成するステップを有していることを特徴とする請求項１から１０のいずれか一項に記載の方法。
【請求項１２】
前記方法は、
（Ｓ４．２）前記電気化学セル内又は前記電気化学セルに接して配置された、好ましくは持続的記憶装置、特にフラッシュメモリを有する記憶ユニットに品質値を記憶させるステップを有していることを特徴とする請求項１１に記載の方法。
【請求項１３】
複数の電気化学セルを有するバッテリにおいて、
前記バッテリは、請求項１から１２のいずれか一項に記載の方法で製造されていることを特徴とするバッテリ。
【請求項１４】
前記バッテリが、
プラグインハイブリッドバッテリ、
ハイブリッドセルバッテリ、
電気車両用バッテリ、
電気機器用バッテリ、又は、
定置使用バッテリ、
を含むバッテリ群から選択されたバッテリとして構成されていることを特徴とする請求項１３に記載のバッテリ。
【発明の詳細な説明】
【技術分野】
【０００１】
本発明は、複数の電気化学セルを有するバッテリを製造する際の電気化学セルの選別方法と、当該方法によって製造されたバッテリとに関する。
【背景技術】
【０００２】
電気化学エネルギー貯蔵装置は、以下においては電気化学セル又はガルバニセルとも表記するが、積層可能なユニットの形状で製造されることが多く、当該ユニットから、複数のセルを統合することによって、バッテリが、様々な用途のため、特に電気によって駆動される自動車において使用するために製造され得る。本発明は、自動車内での使用に関連して説明されるが、当該方法及び対応して構成された電気化学セルは、自動車とは無関係に、例えば定置使用の際にも動作可能であることを指摘しておく。
【０００３】
ここで、優先権の基礎となる独国特許出願１０２０１１１０１７９３号の全内容は、参照により本願の構成要素となる。
【０００４】
先行技術からは、複数の電気化学セルを有するバッテリを製造するための様々な方法が知られている。
【発明の概要】
【発明が解決しようとする課題】
【０００５】
本発明の課題は、複数の電気化学セルを有するバッテリを製造する際の電気化学セルの選別方法を改善し、対応するバッテリを提供することにある。
【課題を解決するための手段】
【０００６】
本課題は、請求項１に記載のバッテリを製造する際の電気化学セル選別方法と、請求項１３に記載のバッテリとによって解決される。下位請求項は、本発明の有利なさらなる構成に関する。
【０００７】
本発明の一態様によると、複数の電気化学セルを有するバッテリを製造する際の電気化学セルの選別方法において、本課題は、当該方法が以下のステップを有することによって解決される。すなわち、個々の検査されるべき電気化学セルのパラメータデータを、当該電気化学セルの品質を判定するために検出するステップと、検出されたパラメータデータを制御ユニットに伝達するステップと、電気化学セルをパラメータデータに割り当てるステップと、制御ユニットを用いて、パラメータデータに割り当てられた電気化学セルにとって、所定のパラメータ値に関して、パラメータデータの所定の関係が存在するかどうかを決定するステップと、である。当該方法の利点は、バッテリの使用の選択に関して、費用、品質及び構成の観点から、製造の際の生産収率を増大させることができることにある。特に、目標とされた所定の品質を備えたバッテリのための電気化学セル、又は、バッテリアセンブリが選別され得る。こうして、例えば第１の、好ましくは向上した品質を有するバッテリを当初の部品に使用し、第２の、好ましくは標準的な品質を有するバッテリを補修部品市場で使用することができる。さらに、例えば第３の品質を有するバッテリを、定置使用に用いても良い。
【０００８】
本発明に関連して電気化学セルとは、電気化学エネルギー貯蔵装置であると理解すべきである。すなわち、エネルギーを化学的形態で貯蔵し、電気的形態で負荷（Ｖｅｒｂｒａｕｃｈｅｒ）に放出し、好ましくはまた、充電装置から電気的形態で受容することもできる装置のことである。当該電気化学エネルギー貯蔵装置の重要な例は、ガルバニセル又は燃料電池である。電気化学セルは、電気的に異なる電荷を蓄えるための少なくとも１つの第１装置及び少なくとも１つの第２装置と、これら両方の装置の電気的な作用接続を形成するための手段とを有しており、電荷担体はこれら２つの装置の間を移動することができる。電気的作用接続を形成する手段とは、例えばイオン伝導体として作用する電解質であると理解される。
【０００９】
本発明に関連してパラメータデータとは、複数のパラメータデータだけではなく、場合によっては個々のパラメータデータでもあると理解すべきである。それに応じて、本発明に関連して、所定のパラメータ値とは、複数の所定のパラメータ値だけではなく、場合によっては個々の所定のパラメータ値でもあると理解すべきである。
【００１０】
制御ユニットを用いて決定するステップが、以下の決定ステップの内少なくとも１つを有していると有利であることがわかっている。すなわち、伝達されたパラメータデータが所定の第１のパラメータ値を有するかを決定する決定ステップ、及び／又は、伝達されたパラメータデータが所定の第２のパラメータ値を有さないかを決定する決定ステップである。
【００１１】
好ましくは、制御ユニットを用いて決定するステップは、以下の決定ステップの内少なくとも１つを有している。すなわち、伝達されたパラメータデータが所定の第３のパラメータ値を超えるかを決定する決定ステップ、及び／又は、伝達されたパラメータデータが所定の第４のパラメータ値を下回るかを決定する決定ステップである。
【００１２】
さらに、当該方法は、複数の供給ステップの内少なくとも１つを有していても良い。すなわち、決定のステップにおいて、所定の関係が存在すると決定される場合に、パラメータデータに割り当てられた電気化学セルを、第１の種類のバッテリを製造するための第１の製造ラインに供給する供給ステップ、又は、決定のステップにおいて、所定の関係が存在しないと決定される場合に、パラメータデータに割り当てられた電気化学セルを、第２の種類のバッテリを製造するための第２の製造ラインに供給する供給ステップである。
【００１３】
加えて、制御ユニットを用いて決定するステップは、パラメータデータが、所定の第５のパラメータ値の周囲の少なくとも１つの所定のパラメータ値範囲内に含まれているかを決定するステップを有していても良い。
【００１４】
当該方法において、ハイブリッドセルバッテリを製造するための第１の製造ラインへの供給に関して、第１のパラメータ値範囲が１．２％、好ましくは０．６％であると有利であることがわかっている。
【００１５】
さらに、プラグインハイブリッドバッテリを製造するための第２の製造ラインへの供給に関して、第２のパラメータ値範囲が３％、好ましくは１．５％であると有利であることがわかっており、好ましくは、第２の製造ラインに供給されるべき電気化学セルのパラメータデータは、特に前記第１の実施例の好ましいパラメータ範囲の外に位置している。
【００１６】
さらに、電気車両用バッテリ又は電気機器用バッテリを製造するための第３の製造ラインへの供給に関して、第３のパラメータ値範囲が４．５％、好ましくは２．２％であると有利であることがわかっており、好ましくは、第３の製造ラインに供給されるべき電気化学セルのパラメータデータは、特に前記第１の実施例の好ましいパラメータ範囲の外に位置しているか、及び／又は、好ましくは第３の製造ラインに供給されるべき電気化学セルのパラメータデータは、特に前記第２の実施例の好ましいパラメータ範囲の外に位置している。
【００１７】
さらに、定置使用バッテリを製造するための第４の製造ラインへの供給に関して、第４のパラメータ値範囲が５０％、好ましくは２５％であると有利であることがわかっており、好ましくは、第４の製造ラインに供給されるべき電気化学セルのパラメータデータは、特に前記第１の実施例の好ましいパラメータ範囲の外に位置しているか、及び／又は、好ましくは第４の製造ラインに供給されるべき電気化学セルのパラメータデータは、特に前記第２の実施例の好ましいパラメータ範囲の外に位置しているか、及び／又は、好ましくは第４の製造ラインに供給されるべき電気化学セルのパラメータデータは、特に前記第３の実施例の好ましいパラメータ範囲の外に位置している。
【００１８】
好ましくは、電気化学セルの複数のパラメータデータの内少なくとも１つは、以下のパラメータの内少なくとも１つを含むパラメータ群から選択されている。すなわち、電気化学セルの開路電圧、電気化学セルの容量、電気化学セルの内部抵抗、圧力を加えた後の、好ましくは電気化学セル側面における電気化学セルの内部抵抗の変化、又は、電気化学セルの内圧である。特に好ましくは、特に電気化学セルの側面を通じて圧力を加える際の最終加工の間又は最終加工の後の電気化学セルの内部抵抗は、パラメータデータとして用いられ、好ましくは少なくとも３つ又はそれより多くの抵抗が用いられる。この関連において、電気化学セルの側面に圧力を加えた後の電気化学セルの内部抵抗の変化は、電気化学セルの品質を判定するためのパラメータとして好ましいことが明らかになっている。電気化学セルに圧力が加えられ、電気化学セルがたわむ場合、内部抵抗は変化する。したがって、圧力が電気化学セルに加えられ、内部抵抗の変化が測定され得る。比較的硬質で、その内部抵抗が側面に圧力を加えた後にわずかに変化するのみである電気化学セルは、密封の後はもはやガスを放出しない。圧力変化に関連する内部抵抗の変化を通じて、電気化学セルは、様々な種類の品質及び対応する製造ラインに特に容易に分類され得る。それによって、品質は、例えば以下の関係式で表される。このとき、ｄＲｉは内部抵抗の変化を意味し、ｄＦは加えられた力の変化を意味している。
【００１９】
（ｄＲｉ）／（ｄＦ）  ≒  品質パラメータ
【００２０】
第２の態様によると、複数の電気化学セルを有するバッテリにおいて、本課題は、バッテリが前記製造方法の内１つにしたがって製造されていることによって解決される。
【００２１】
当該バッテリが、プラグインハイブリッドバッテリ、ハイブリッドセルバッテリ、電気車両用バッテリ、電気機器用バッテリ、又は、定置使用バッテリを含むバッテリ群から選択されたバッテリとして構成されていると有利であることがわかっている。
【００２２】
さらに、バッテリの電気化学セルは、品質値を記憶するために構成された記憶装置を追加的に有していても良い。
【００２３】
さらに、本発明は、自動車内で使用するために構成された電気化学セルを有するバッテリに関する。
【００２４】
以下に、本発明の利点を、好ましい実施例に基づき、図を用いてより詳細に説明する。図面に示されるのは以下の通りである。
【図面の簡単な説明】
【００２５】
【図１】本発明の第１の実施例に係る、バッテリ製造時の電気化学セルの選別方法を示すフローチャートである。
【図２】本発明の第２の実施例に係る、バッテリ製造時の電気化学セルの選別方法を示すフローチャートである。
【図３】本発明の第３の実施例に係る、バッテリ製造時の電気化学セルの選別方法を示すフローチャートである。
【図４】本発明の第４の実施例に係る、バッテリ製造時の電気化学セルの選別方法を示すフローチャートである。
【図５】本発明の第５の実施例に係る、バッテリ製造時の電気化学セルの選別方法を示すフローチャートである。
【図６】本発明の第６の実施例に係る、バッテリ製造時の電気化学セルの選別方法を示すフローチャートである。
【図７】本発明に係るバッテリ製造時の電気化学セルの選別方法の変形例を示すフローチャートである。
【発明を実施するための形態】
【００２６】
図１は、本発明の第１の実施例に係る、バッテリ製造時の電気化学セルの選別方法を示すフローチャートである。ステップＳ１において、検査されるべき電気化学セルのパラメータデータＤＰａｒ．が検出される。ステップＳ２において、パラメータデータＤＰａｒ．が制御ユニットに伝達され、ステップＳ３において、これらのパラメータデータＤＰａｒ．に電気化学セルが割り当てられる。制御ユニットを用いて、これらのパラメータデータＤＰａｒ．が、所定のパラメータ値ＷＰａｒ．に関して所定の関係を有しているかが決定される。パラメータデータＤＰａｒ．が所定のパラメータ値ＷＰａｒ．に関して所定の関係を有している場合、電気化学セルは、第１の種類のバッテリを製造するための第１の製造ラインに供給される。そうではなく、パラメータデータＤＰａｒ．が所定のパラメータ値ＷＰａｒ．に関して所定の関係を有していない場合には、電気化学セルは、第２の種類のバッテリを製造するための第２の製造ラインに供給される。
【００２７】
図２は、本発明の第２の実施例に係る、バッテリ製造時の電気化学セルの選別方法を示すフローチャートであり、そのステップＳ１からＳ３は、第１の実施例のステップに対応しており、第１の実施例は繰り返しを避けるために指摘されている。
【００２８】
制御ユニットを用いて、これらのパラメータデータＤＰａｒ．が、所定の第１のパラメータ値ＷＰａｒ．１を有しているかが決定される。パラメータデータＤＰａｒ．が、所定の第１のパラメータ値ＷＰａｒ．１を有している場合、電気化学セルは、第１の種類のバッテリを製造するための第１の製造ラインに供給される。そうではなく、パラメータデータＤＰａｒ．が、所定の第１のパラメータ値ＷＰａｒ．１を有していない場合には、電気化学セルは、第２の種類のバッテリを製造するための第２の製造ラインに供給される。
【００２９】
図３は、本発明の第３の実施例に係る、バッテリ製造時の電気化学セルの選別方法を示すフローチャートであり、そのステップＳ１からＳ３は、第１の実施例のステップに対応しており、第１の実施例は繰り返しを避けるために指摘されている。
【００３０】
制御ユニットを用いて、これらのパラメータデータＤＰａｒ．が、所定の第２のパラメータ値ＷＰａｒ．２を有していないかが決定される。パラメータデータＤＰａｒ．が、所定の第２のパラメータ値ＷＰａｒ．２を有していない場合、電気化学セルは、第１の種類のバッテリを製造するための第１の製造ラインに供給される。そうではなく、パラメータデータＤＰａｒ．が、所定の第２のパラメータ値ＷＰａｒ．２を有している場合には、電気化学セルは、第２の種類のバッテリを製造するための第２の製造ラインに供給される。
【００３１】
図４は、本発明の第４の実施例に係る、バッテリ製造時の電気化学セルの選別方法を示すフローチャートであり、そのステップＳ１からＳ３は、第１の実施例のステップに対応しており、第１の実施例は繰り返しを避けるために指摘されている。
【００３２】
制御ユニットを用いて、これらのパラメータデータＤＰａｒ．が、所定の第３のパラメータ値ＷＰａｒ．３を超過しているかが決定される。パラメータデータＤＰａｒ．が、所定の第３のパラメータ値ＷＰａｒ．３を超過している場合、電気化学セルは、第１の種類のバッテリを製造するための第１の製造ラインに供給される。そうではなく、パラメータデータＤＰａｒ．が、所定の第３のパラメータ値ＷＰａｒ．３を超過していない場合には、電気化学セルは、第２の種類のバッテリを製造するための第２の製造ラインに供給される。
【００３３】
図５は、本発明の第５の実施例に係る、バッテリ製造時の電気化学セルの選別方法を示すフローチャートであり、そのステップＳ１からＳ３は、第１の実施例のステップに対応しており、第１の実施例は繰り返しを避けるために指摘されている。
【００３４】
制御ユニットを用いて、これらのパラメータデータＤＰａｒ．が、所定の第４のパラメータ値ＷＰａｒ．４を超過していないかが決定される。パラメータデータＤＰａｒ．が、所定の第４のパラメータ値ＷＰａｒ．４を下回る場合、電気化学セルは、第１の種類のバッテリを製造するための第１の製造ラインに供給される。そうではなく、パラメータデータＤＰａｒ．が、所定の第４のパラメータ値ＷＰａｒ．４を下回らない場合には、電気化学セルは、第２の種類のバッテリを製造するための第２の製造ラインに供給される。
【００３５】
図６は、本発明の第６の実施例に係る、バッテリ製造時の電気化学セルの選別方法を示すフローチャートであり、そのステップＳ１からＳ３は、第１の実施例のステップに対応しており、第１の実施例は繰り返しを避けるために指摘されている。
【００３６】
制御ユニットを用いて、これらのパラメータデータＤＰａｒ．が、所定の第５のパラメータ値ＷＰａｒ．５の周囲の所定のパラメータ範囲内に含まれているかが決定される。パラメータデータＤＰａｒ．が、所定の第５のパラメータ値ＷＰａｒ．５の周囲の所定のパラメータ範囲内に含まれている場合、電気化学セルは、第１の種類のバッテリを製造するための第１の製造ラインに供給される。そうではなく、パラメータデータＤＰａｒ．が、所定の第５のパラメータ値ＷＰａｒ．５の周囲の所定のパラメータ範囲内に含まれていない場合には、電気化学セルは、第２の種類のバッテリを製造するための第２の製造ラインに供給される。
【００３７】
図７は、本発明に係る、上述のバッテリ製造時の電気化学セルの選別方法の変形例を示すフローチャートであり、そのステップＳ１からＳ３は、第１の実施例のステップに対応しており、第１の実施例は繰り返しを避けるために指摘されており、第１の実施例は第１から第６の実施例のいずれとも組み合わせられ得る。
【００３８】
この変形例は、ステップＳ３の後に追加的なステップＳ４．１及びＳ４．２を有している。ステップＳ４．１において、パラメータデータＤＰａｒ．を用いて、品質値が生成され、当該品質値はステップＳ４．２において、電気化学貯蔵セル内又は電気化学貯蔵セルに接して配置された記憶ユニットに記憶される。品質値は、例えば電気化学貯蔵セルの等級分けに用いられ、この等級分けは、例えば後続の仕上ステップ又はバッテリの検査の際に利用可能である。
【００３９】
本発明は、さらに当該電気化学セルを有するバッテリ、特に自動車内部で使用するために構成された、当該電気化学セルを有するバッテリに関する。
【符号の説明】
【００４０】
ＤＰａｒ．  パラメータデータ
ＷＰａｒ．  所定のパラメータ値
ＷＰａｒ．１  所定の第１のパラメータ値
ＷＰａｒ．２  所定の第２のパラメータ値
ＷＰａｒ．３  所定の第３のパラメータ値
ＷＰａｒ．４  所定の第４のパラメータ値
ＷＰａｒ．５  所定の第５のパラメータ値
Ｓ１  電気化学セルのパラメータデータを検出する
Ｓ２  検出されたパラメータデータを制御ユニットに伝達する
Ｓ３  電気化学セルをパラメータデータに割り当てる
Ｓ４  制御ユニットを用いて、パラメータデータの所定のパラメータ値に関する所定の関係が存在するかを決定する
Ｓ４．１  パラメータデータを用いて少なくとも１つの品質値を生成する
Ｓ４．２  電気化学セル内又は電気化学セルに接して配置された記憶ユニットに品質値を記憶する
Ｓ４ａ  パラメータデータが所定の第１のパラメータ値を有するかを決定する
Ｓ４ｂ  パラメータデータが所定の第２のパラメータ値を有していないかを決定する
Ｓ４ｃ  パラメータデータが所定の第３のパラメータ値を超過しているかを決定する
Ｓ４ｄ  パラメータデータが所定の第４のパラメータ値を下回るかを決定する
Ｓ４ｅ  パラメータデータが所定の第５のパラメータ値の周囲の所定のパラメータ値範囲内に含まれるかを決定する
Ｓ５ａ  所定の関係が存在することが決定される場合に、電気化学セルを第１の種類のバッテリを製造するための第１の製造ラインに供給する
Ｓ５ｂ  所定の関係が存在しないことが決定される場合に、電気化学セルを第２の種類のバッテリを製造するための第２の製造ラインに供給する
【図１】
2014519680.tif 000003
【図２】
2014519680.tif 000004
【図３】
2014519680.tif 000005
【図４】
2014519680.tif 000006
【図５】
2014519680.tif 000007
【図６】
2014519680.tif 000008
【図７】
2014519680.tif 000009
【国際調査報告】
2014519680.tif 000010
2014519680.tif 000011
2014519680.tif 000012
2014519680.tif 000013